(57)【特許請求の範囲】
【請求項１】
第１のキャビティおよび平坦な前面フランジを具備する、鍛造された前面部分と、
第２のキャビティおよび平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記アイアンタイプのゴルフクラブヘッドは上記界面の回りにアンダーカットを有し、
上記前面フランジおよび上記背面フランジは組合わさって２より大きいアンダーカット表面面積比を形成し、上記アンダーカット表面面積比は上記背面フランジの面積を上記前面フランジの面積で割ったものとして定義されることを特徴とするアイアンタイプのゴルフクラブヘッド。
【請求項２】
第１のキャビティおよび平坦な前面フランジを具備する、鍛造された前面部分と、
第２のキャビティおよび平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記鍛造された前面部分の質量は１１５グラムから１２５グラムの間であり、
上記背面部分の質量は７０グラムから９０グラムの間であり、
上記鍛造された前面部分および上記背面部分が組合わさってアンダーカットを形成し、
上記前面フランジの表面面積は６５０ｍｍ２より小さく、上記背面フランジの面積は１４００ｍｍ２より大きいことを特徴とするアイアンタイプのゴルフクラブヘッド。
【請求項３】
第１のキャビティおよび平坦な前面フランジを具備する、鍛造された前面部分と、
第２のキャビティおよび平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記鍛造された前面部分および上記背面部分が組合わさってアンダーカットを形成し、
上記平坦な前面フランジおよび上記平坦な背面フランジは組合わさって２より大きいアンダーカット表面面積比を形成し、上記アンダーカット表面面積比は上記背面フランジの面積を上記前面フランジの面積で割ったものとして定義されることを特徴とするアイアンタイプのゴルフクラブヘッド。
【発明の詳細な説明】
【技術分野】
【０００１】
この発明は全般的にはマルチピースのアイアンゴルフクラブヘッドに関する。より具体的には、この発明は、１または複数のスチールの鍛造ピースを組み合わせ、一体に結合して、鋳造タイプの製造方法に伝統的に留保されてきたユニークな幾何形状を形成する、マルチピースのアイアンゴルフクラブヘッドに関する。これらユニークな幾何形状により、この発明は、鍛造ゴルフクラブヘッドの性能上の利点を実現でき、同時に純粋に１つのピースから鍛造した構造では伝統的には実現できない幾何形状を組み入れることができる。
【背景技術】
【０００２】
アイアンタイプのゴルフクラブヘッドの設計はゴルフの黎明期から定常的に着実に改善されてきた。今日のアイアンタイプのゴルフクラブヘッドはゴルフボールをより遠くに打撃できるだけでなく、より一貫した打撃を実現できる。
【０００３】
ゴルフクラブ設計者は、現在の技術上の改善を達成するために、重心位置、慣性モーメントを、アイアンタイプのゴルフクラブヘッドの膨大な他のファクタとともに、慣用的なアイアンタイプのゴルフクラブヘッドと似ているものからかけ離れた創造的な設計変更を通じて、操作してきた。これらの設計上の変更は、ユニークな設計の利用、多数の材料の利用、先進的な製造方法の利用さえも含む。米国特許第８，２８２，５０６号（Ｈｏｌｔ）に示される一例では、発明者は、アンダーカットを伴う背面キャビティを具備するゴルフクラブヘッドを製造することにより、ゴルフクラブヘッドの慣性モーメントを大きくしてより多くの裁量的な重量を形成することと試みた。他の例において、米国特許第６，５５４，７２２号（Ｅｒｉｃｋｓｏｎ等）は、ゴルフクラブヘッド中に非均一な構造を採用する二材料のウエイトを教示して多材料の利用を説明している。最後に、米国特許第５，７６６，０９２号（Ｍｉｎｅｕｒ等）はアイアンタイプのゴルフクラブヘッドの性能を改善するのに採用される構造の製法について説明している。
【０００４】
しかしながら、アイアンゴルフクラブヘッドの性能におけるこれらの技術の進展が進んでいくと、あるゴルファは絶対的な性能より重要なものがあると気づき始めた。実際、多くのゴルファにとっては、ゴルフクラブの無形要素、例えば、美観のアピール、それが作り出す音響、それが生成するフィーリングがゴルフクラブヘッドの性能自体より重要であることさえある。
【０００５】
ゴルフクラブヘッドの音響およびフィーリングに影響する重要な特徴の１つは、クラブヘッドが製造される方法である。ゴルファ、とくに上手なゴルファは、鍛造ゴルフクラブヘッドの音響およびフィーリングを、鋳造ゴルフクラブヘッドのそれより好む。鍛造ゴルフクラブヘッドを好む理由は、それが単一ピースのスチールから製造され、溶解したり、材料の構造を再構築したりすることがないからである。金属の単一の塊からゴルフクラブヘッドを鍛造する際の欠点は、固有の鍛造プロセスにより形状や幾何が制約されること、極端な形状を採用禁止されることである。
【０００６】
鍛造ゴルフクラブヘッドがゴルファに好まれるということに基づき、鍛造プロセスに関連する固有の幾何形状の制約を組み合わせて考えると、改善されたフィーリングを維持するために鍛造プロセスを採用し、それでいて、性能を改善するために進んだ幾何形状を採用してゴルフクラブヘッドを製造する必要性がある。より具体的には、鍛造ゴルフクラブヘッドの好ましい見栄え、音響、およびフィーリングを維持しつつ、鋳造ゴルフクラブヘッドに伝統的に留保されてきた漸進的な幾何構造を探査する必要がある。
【先行技術文献】
【特許文献】
【０００７】
【特許文献１】米国特許第８，２８２，５０６号明細書
【特許文献２】米国特許第６，５５４，７２２号明細書
【特許文献３】米国特許第５，７６６，０９２号明細書
【発明の開示】
【０００８】
この発明の１つの側面において、アイアンタイプのゴルフクラブヘッドは、第１のキャビティおよび実質的に平坦な前面フランジを具備する、鍛造された前面部分と、第２のキャビティおよび実質的に平坦な背面フランジを具備する背面部分とを有し；上記前面部分および上記背面部分が、上記前面フランジおよび上記背面フランジの間の界面で一緒に結合されてアイアンタイプのゴルフクラブヘッドを形成し、上記アイアンタイプのゴルフクラブヘッドは上記界面の回りにアンダーカットを有する。
【０００９】
この発明の他の側面において、アイアンタイプのゴルフクラブヘッドは、第１のキャビティおよび実質的に平坦な前面フランジを具備する、鍛造された前面部分と、第２のキャビティおよび実質的に平坦な背面フランジを具備する背面部分とを有し、上記前面部分および上記背面部分が、上記前面フランジおよび上記背面フランジの間の界面で一緒に結合されてアイアンタイプのゴルフクラブヘッドを形成し、上記鍛造された前面部分の質量は約１１５グラムから約１２５グラムの間であり、上記背面部分の質量は約７０グラムから約９０グラムの間である。最後に、上記鍛造された前面部分および上記背面部分が組合わさってゴルフクラブヘッドキャビティ部分にアンダーカットを形成する
【００１０】
この発明のさらに他の側面において、アイアンタイプのゴルフクラブヘッドは、第１のキャビティおよび実質的に平坦な前面フランジを具備する、鍛造された前面部分と、第２のキャビティおよび実質的に平坦な背面フランジを具備する背面部分とを有し、上記前面部分および上記背面部分が、上記前面フランジおよび上記背面フランジの間の界面で一緒に結合されてアイアンタイプのゴルフクラブヘッドを形成する。上記鍛造された前面部分および上記背面部分が組合わさってアンダーカットを形成し、上記平坦な前面フランジおよび上記平坦なものは組合わさって１より大きいアンダーカット表面面積比を形成し、上記アンダーカット表面面積比は上記背面フランジの面積を上記前面フランジの面積で割ったものとして定義される。
【００１１】
この発明のこれらの、または他の特徴、側面、および利点は以下の図面、説明および特許請求の範囲を参照して理解されるであろう。
【００１２】
この発明の、先の、または他の特徴および利点は、添付図面において図説される、この発明の以下の説明から明らかであろう。添付図面はここに組み入れて明細書の一部を構成し、この発明の原理を説明するのに役立ち、同業者がこの発明を実施することを可能にする。
【図面の簡単な説明】
【００１３】
【図１】この発明の実施例に従うゴルフクラブヘッドの分解斜視図である。
【図２】この発明の実施例に従うゴルフクラブヘッドの背面部分の分解斜視図である。
【図３】切断せんＡ'−Ａ'を説明する、この発明の実施例に従うゴルフクラブヘッドの背面図である。
【図４】この発明の実施例に従うゴルフクラブヘッドの、断面線Ａ−Ａ'に沿う断面図である。
【図５】この発明の代替的な実施例に従うゴルフクラブヘッドの、断面線Ａ−Ａ'に沿う断面図である。
【発明を実施するための形態】
【００１４】
以下の詳細な説明は、この発明を実施する最良の現行企画モデルのものである。この説明は限定的な意味で受け取られるべきではなく、この発明の全体的な原理を説明する目的でのみなされている。この発明の範囲は添付の特許請求の範囲により最も良く規定されているからである。
【００１５】
種々の発明の特徴が以下に説明され、その各々は他の特徴と独立に採用されてもよいし、他の特徴と組みあわされて使用されても良い。ただし、発明の任意の１つの特徴は上述した問題のいずれも、またはすべてを扱わないかもしれないし、上述した問題の１つのみを取り扱うかもしれない。さらに、上述した問題の１つまたは複数は、以下説明される特徴のいずれでも取り扱われないかもしれない。
【００１６】
添付図面の図１は、この発明の事例的な実施例に従うゴルフクラブヘッド１００の分解斜視図を示す。より具体的には、ゴルフクラブヘッド１００はさらに鍛造の前面部分１０２および鍛造の背面部分１０４を有して良い。鍛造部分の各々の詳細に関する検討に先立って、これらの部品の各々がスチールのソリッド片から形成されることを強調しておくことが有意義である。ゴルフクラブヘッドのこれらの個々の部品が鍛造されることを理解することは大変に重要であり、これは、この発明の創意工夫が個々の部品が鍛造されているという性質に強く結びついているからである。このようなマルチピース構造によれば、ゴルフクラブヘッドの少なくとも１つの鍛造部分をゴルフクラブヘッドの他の部分と組み合わせて、慣用的なワンピースの鍛造において実現できなかったアンダーカットのような幾何形状を形成することができる。
【００１７】
鍛造プロセスは、金型に起因する局所化された圧縮力を用いて金属を形作ることを伴う製造プロセスである。金属材料は、圧縮力に応じて、所望の幾何形状へと変形する。しばしば、鍛造プロセスは、等価な鋳造または機械加工部品に較べてより強く良好なフィーリングをもつ製品を製造できるといわれ、これは、金属の内部粒状物が、鍛造プロセスの間に金属の形状に整合して変形するからである。さらに、鍛造は金属の単一ピースを使用するので、粒状物の構造が部品にわたって連続的であり、これにより、上述の改善がなされる。
【００１８】
ゴルフクラブヘッドを製造するために鍛造プロセスを採用することは知られており、ゴルフクラブヘッドの鍛造に関しては米国特許第７，１５３，２２２号（Ｇｉｌｂｅｒｔ等）によい詳細に説明され、その内容は参照してここに組み入れる。しかしながら、ゴルフクラブヘッドを鍛造する際の制約も良く知られており、これは、その固有なプロセスにより、どのような抜き勾配もどのようなアンダーカットも形成できないからである。
【００１９】
ゴルフクラブヘッドにアンダーカットを設ける重要な利点の１つは、ゴルフクラブヘッドの慣性モーメントを増大させることであり、これは、アンダーカットによってゴルフクラブヘッドの不必要な部分から重量を除去できるからである。ゴルフクラブヘッドの不必要な部分から重量を除去すると、重量をゴルフクラブヘッド中のより後方に移動させることができ、ゴルフボールに芯からずれて衝突したときにねじれに抵抗する性能が増大する。慣性モーメントの増大に加えて、アンダーカットを形成して不必要な重量を削除すると、より裁量的な重量を形成してゴルフクラブヘッドの重心特性を向上させる。
【００２０】
鍛造プロセスの幾何形状の制約に対処するために、ゴルフクラブ設計者は、鋳造プロセス、または製造後機械加工プロセスを採用して所望の幾何形状を形成してきたけれども、ゴルフクラブヘッドの強度、音響、およびフィーリング特徴を犠牲にしてきた。鋳造方法は、金型内にインサートを使用して極端な幾何形状を生成することができるけれども、強度、音響、およびフィーリングの部門の上述の欠点の影響を受ける。
【００２１】
この発明は、鍛造ゴルフクラブヘッドの強度、音響、およびフィーリングに関する利点を、鋳造ゴルフクラブヘッドに伝統的に留保されてきた幾何形状とともに獲得するために、独立して鍛造される２つの部品を具備し形成する。この実施例において、前面部分１０２は全般的には打撃フェース、ホーゼル、トップラインの一部、ヒールの一部、トウの一部、およびソールの一部を含む。背面部分１０４は、他方、マッスル部分、トップラインの一部、ヒールの一部、トウの一部、およびソールの一部を含む。前面部分は、ゴルフクラブヘッド１００の後方に向かって開放された第１のキャビティ１０６を含み、前面フランジ１１０が第１のキャビティ１０６を包囲する。背面部分１０４は、ゴルフクラブヘッド１００の前方に向かって開放された第２のキャビティ１０８を含み、背面フランジ１１２が第２のキャビティ１０８を包囲する。この発明は、対面するキャビティ開放配位を組み込んでゴルフクラブヘッド１００を二分割し、これによって、アンダーカットのような幾何形状を可能にしつつ、鍛造製造プロセスを依然として採用する。
【００２２】
現行の実施例において、前面部分１０２は、全般的には、約１１０グラムから約１３０グラム、より好ましくは約１１５グラムから約１２５グラム、最も好ましくは約１２０グラムの質量を有して良い。他方、背面部分１０４は、約７０グラムから約９０グラム、より好ましくは約７５グラムから約８５グラム、最も好ましくは約８０グラムの質量を有して良い。上述の質量は、すべて、現行のゴルフクラブヘッド１００が約７．７５グラム／ｃｍ３および約８．０５グラム／ｃｍ３の間の密度のスチール材料から製造されることを仮定している。
【００２３】
上述の重量分布に基づいて、このゴルフクラブヘッド１００の重量分布比は約１．２０および約１．８５の間、より好ましくは、約１．４５および約１．５５の間、もっとも好ましくは約１．５であって良く、重量分布比は、前面部分１０２の質量を背面部分１０４の質量で割ったものとして定義され、以下の式（１）で表される。
重量分布比＝（前面部分１０２の質量）／（背面部分１０４の質量）    式（１）
【００２４】
図２に進む前に、ここで、前面部分１０２と、その後方に向かう第１のキャビティ１０６とは、前面フランジ１１０を形成し、他方、背面部分１０４と、その前方へ向かう第２のキャビティ１０８は背面フランジ１１２を形成する。背面フランジ１１２は、この発明において定義されるように、全般的には、前面部分１０２を背面部分１０４から分離する実質的に平坦な表面であってよい。前面フランジ１１０および背面フランジ１１２は相互に係合して、個々の部品を鍛造したのちに溶接プロセスを行うことにより単一のゴルフクラブヘッド１００を形成する。溶接は、前面部分１０２と背面部分１０４とを結合する最も好ましい方法であるけれども、カシメ、接着、またはさらには機械ロックのような種々の他の代替的な方法を用いることができ、これはこの発明の範囲および内容から逸脱しない。前面フランジ１１０の表面面積は、この事例的な実施例において、全般的には、約６５０ｍｍ２より小さく、より好ましくは、約６２５ｍｍ２より小さく、最も好ましくは、約６００ｍｍ２より小さい。他方、背面フランジの表面面積は、約１４００ｍｍ２より大きく、より好ましくは、約１４５０ｍｍ２より大きく、最も好ましくは、約１５００ｍｍ２より大きい。
【００２５】
この事例的な実施例において、アンダーカットの形成は、前面フランジ１１０の面積と背面フランジ１１２の面積との差により定量化できる。実際、アンダーカットの形成は、全般的には、背面フランジ１１２の面積が前面フランジ１１０の面積より大きいことの結果である。換言すれば、前面フランジ１１０および背面フランジ１１２の表面面積の差が大きくなればなるほど、アンダーカットが大きくなり、これはアンダーカット表面面積比により定量化される。この説明において参照する範囲で、アンダーカット表面面積比は背面フランジ１１２の面積を前面フランジ１１０の面積で割ったものとして定義され、これは以下の式（２）により表される。
アンダーカット表面面積比＝（背面フランジ１１２の面積）／（前面フランジ１１０の面積）              式（２）
この発明において、アンダーカット表面面積比は全般的には１より大きく、これは、背面フランジ１１２の面積が前面フランジ１１０の面積より大きいことを意味する。しかしながら、この発明の内容および範囲から逸脱しない限り、上述の表面面積に従うと、アンダーカット表面面積比は約２．０よりも大きくあって良く、また、約２．２５より大きくてもよく、また約２．５より大きくても良い。
【００２６】
添付図面の図２は、背面部分２０４の斜視図を示し、これにより、背面フランジ２１２および第２のキャビティ２０８をより明瞭に示すことができる。それに加えて、添付図面の図２は、背面フランジ２１２が実質的に平坦であることを示し、これにより前面フランジ１１０（図１に示す）を組み合わさって全体としてのゴルフクラブヘッド１００（図１に示す）を形成する。
【００２７】
好ましい実施例は、全般的には、スチールを鍛造してなる背面部分２０４を採用して良いけれども、背面部分２０４は、この発明の範囲および内容から逸脱しない範囲で、鋳造プロセスまたは任意の他の製造プロセスから形成されて良い。図１でそうであったようにゴルフクラブヘッドを二分割するとき、強度、音響、およびフィーリングの主たる部分は前面部分１０２（図１）に由来し、したがって、前面部分１０２が鍛造されなければならないことが非常に重要である。しかしながら、必要であれば、背面部分２０４を鋳造してゴルフクラブヘッドを完成させてよく、これはこの発明の範囲および内容から逸脱しない。
【００２８】
添付図面の図３は、この発明の事例的な実施例に従うゴルフクラブヘッド３００の背面図を示す。ゴルフクラブヘッド３００を組み立てるために、前面部分３０２が、前面フランジおよび背面フランジの接触領域の周囲を介して、背面部分３０４に溶接され、これは、これらの周囲を３６０°包囲する。最後に、上述に加えて、図３は、断面線Ａ−Ａ'を示し、これを用いて以降の図面はゴルフクラブヘッド３００の断面図を提供する。断面線Ａ−Ａ'は、この発明で定義されるように、ゴルフクラブヘッド３００の中央の近くで、スコアライン（図示しない）の中心で、ゴルフクラブヘッドを二分割して部品間の内部の関係を容易に示すようになっている。
【００２９】
添付図面の図４は、図３に示す断面線Ａ−Ａ'に沿う、ゴルフクラブヘッド４００の断面図を示す。図４に示すゴルフクラブヘッド４００の断面図は、前面部分４０２および背面部分４０４のような各部品がどのように係合するかを示すだけでなく、ゴルフクラブヘッド４００の頂部および底部においてアンダーカット４２０が存在することも示す。アンダーカット４２０は、この発明で定義されるように、一般的には、キャビティバックタイプのゴルフクラブヘッド４００のキャビティの下または回りに存在する切り出し部であって良い。アンダーカット４２０は先に検討したようにゴルフクラブヘッド４００の好ましくなく、かつ必要でもない部分から重量を取り除き、慣性モーメントの増大や重心位置を改善するための裁量的な重量の創出のような、性能改善を実現する。このため、ゴルフクラブヘッド４００は前面部分４０２および背面部分４０４の連結部の回りにアンダーカットを有すると言うことができる。アンダーカット４２０を定義する代替的な方法は、キャビティの寸法を比較することである。より具体的には、第１のキャビティ４０６が第２のキャビティ４０８より小さい場合には、アンダーカット４２０が存在すると言える。
【００３０】
添付図面の図４は、前面フランジ４１０および背面フランジ４１２の間の界面がゴルフクラブヘッド４００の打撃表面からずれている（オフセット）ことを示す。より具体的には、前面フランジ４１０および背面フランジ４１２の間の界面が、ゴルフクラブヘッド４００のロフト角から角度θでずれるように角度付けられて良い。この事例的な実施例において示すような角度θは一般的には約５°から約９°の間であって良く、より好ましくは、約６°から約８°の間であって良く、最も好ましくは、約７°であって良く、これはこの発明の範囲および内容から逸脱しない。
【００３１】
添付図面の図５は、図３に示す断面線Ａ−Ａ'に沿う、この発明の代替的な実施例に従うゴルフクラブヘッド５００の断面図を示す。まず初めに、この発明の当該実施例においてゴルフクラブヘッドは第２のキャビティ５０６内にメダリオン５３０を含んで良いことが理解できる。メダリオン５３０を使用すると、視覚的にアピールする装飾的デザインをゴルフクラブヘッド５００に付与して、もって、全般的には、ゴルフクラブヘッド５００の美観を増大させることができる。美観を増大させるのに加えて、メダリオン５３０は、ある程度振動減衰効果を実現でき、ゴルフクラブヘッド５００の音響およびフィーリングも改善することができる。
【００３２】
添付図面の図５は、メダリオン５３０を説明するだけでなく、ゴルフクラブヘッドのトップラインの厚さも示し、これは前面フランジ５１０および背面フランジ５１２により形成される平面により二分割される。異なる部分のそれぞれの頂部厚さは二分割平面により定義される。この実施例において、前面部分５０２の第１の頂部厚さｄ１は約３．４ｍｍであって良く、他方、背面部分５０４の第２の頂部厚さｄ２は約３．０ｍｍであって良い。この相対厚さは、この発明において頂部の厚さをどのくらい薄くできるかを説明し、必要な部分を鍛造することに留意しなければならない。この発明において、全般的には、第１の頂部厚さｄ１は、第２の頂部厚さｄ２より実感大きくて良く、これによって、ゴルフクラブヘッド５００のよりソリッドなフィーリングが実現でき、これはこの発明の範囲および内容から逸脱しない。
【００３３】
実施例の外に、または、とくにことわらない限りは、すべての数の範囲、量、値およびパーセンテージ例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３４】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３５】
以上は、この発明の例示の実施例に関するものであり、以下の特許請求の範囲で示される発明の範囲および程度を逸脱することなく修正を行えることはもちろんであることに留意されたい。
ここで説明した技術的特徴について以下に列挙する。
［技術的特徴１］
第１のキャビティおよび実質的に平坦な前面フランジを具備する、鍛造された前面部分と、
第２のキャビティおよび実質的に平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記アイアンタイプのゴルフクラブヘッドは上記界面の回りにアンダーカットを有することを特徴とするアイアンタイプのゴルフクラブヘッド。
［技術的特徴２］
上記鍛造された前面部分はスチールの単一ピースから鍛造される技術的特徴１記載のアイアンタイプのゴルフクラブヘッド。
［技術的特徴３］
上記背面部分はスチールの単一ピースから鍛造される技術的特徴２記載のアイアンタイプのゴルフクラブヘッド。
［技術的特徴４］
上記背面部分は鋳造方法により形成される技術的特徴２記載のアイアンタイプのゴルフクラブヘッド。
［技術的特徴５］
上記背面フランジの表面面積が上記前面フランジの表面面積より大きくアンダーカットを形成する技術的特徴２記載のアイアンタイプのゴルフクラブヘッド。
［技術的特徴６］
上記第２のキャビティは上記第１のキャビティより小さい技術的特徴１記載のアイアンタイプのゴルフクラブヘッド。
［技術的特徴７］
上記鍛造された前面部分は、さらに、打撃フェース、ホーゼル、および、トップラインの一部を有する技術的特徴１記載のアイアンタイプのゴルフクラブヘッド。
［技術的特徴８］
上記背面部分は、さらにマッスル部分および上記トップラインの他の一部を有する技術的特徴７記載のアイアンタイプのゴルフクラブヘッド。
［技術的特徴９］
上記平坦な前面フランジおよび上記平坦なものが組合わさって１より大きいアンダーカット表面面積比を形成し、上記アンダーカット表面面積比は上記背面フランジの面積を上記前面フランジの面積で割ったものとして定義される技術的特徴１記載のアイアンタイプのゴルフクラブヘッド。
［技術的特徴１０］
上記アンダーカット表面面積比は約２．０より大きい技術的特徴９記載のアイアンタイプのゴルフクラブヘッド。
［技術的特徴１１］
上記アンダーカット表面面積比は約２．２５より大きい技術的特徴１０記載のアイアンタイプのゴルフクラブヘッド。
［技術的特徴１２］
上記前面部分の上記トップラインの上記一部の厚さは約３．４ｍｍである技術的特徴１１記載のアイアンタイプのゴルフクラブヘッド。
［技術的特徴１３］
上記背面部分の上記トップラインの上記一部の厚さは約３．０ｍｍである技術的特徴１２記載のアイアンタイプのゴルフクラブヘッド。
［技術的特徴１４］
第１のキャビティおよび実質的に平坦な前面フランジを具備する、鍛造された前面部分と、
第２のキャビティおよび実質的に平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記鍛造された前面部分の質量は約１１５グラムから約１２５グラムの間であり、
上記背面部分の質量は約７０グラムから約９０グラムの間であり、
上記鍛造された前面部分および上記背面部分が組合わさってアンダーカットを形成することを特徴とするアイアンタイプのゴルフクラブヘッド。
［技術的特徴１５］
上記平坦な前面フランジおよび上記平坦なものは組合わさって１より大きいアンダーカット表面面積比を形成し、上記アンダーカット表面面積比は上記背面フランジの面積を上記前面フランジの面積で割ったものとして定義される技術的特徴１４記載のアイアンタイプのゴルフクラブヘッド。
［技術的特徴１６］
上記前面フランジの表面面積は約６５０ｍｍ２より小さく、上記背面フランジの面積は約１４００ｍｍ２より大きい技術的特徴１５記載のアイアンタイプのゴルフクラブヘッド。
［技術的特徴１７］
上記鍛造された前面部分は、さらに、打撃フェース、ホーゼル、および、トップラインの一部を有する技術的特徴１４記載のアイアンタイプのゴルフクラブヘッド。
［技術的特徴１８］
上記背面部分は、さらにマッスル部分および上記トップラインの他の一部を有する技術的特徴１７記載のアイアンタイプのゴルフクラブヘッド。
［技術的特徴１９］
第１のキャビティおよび実質的に平坦な前面フランジを具備する、鍛造された前面部分と、
第２のキャビティおよび実質的に平坦な背面フランジを具備する背面部分とを有し、
上記前面部分および上記背面部分が、上記前面フランジおよび上記背面フランジの間の界面で一緒に結合されてアイアンタイプのゴルフクラブヘッドを形成し、
上記鍛造された前面部分および上記背面部分が組合わさってアンダーカットを形成し、
上記平坦な前面フランジおよび上記平坦な背面フランジは組合わさって１より大きいアンダーカット表面面積比を形成し、上記アンダーカット表面面積比は上記背面フランジの面積を上記前面フランジの面積で割ったものとして定義されることを特徴とするアイアンタイプのゴルフクラブヘッド。
［技術的特徴２０］
上記前面フランジの表面面積は約６５０ｍｍ２より小さく、上記背面フランジの面積は約１４００ｍｍ２より大きい技術的特徴１９記載のアイアンタイプのゴルフクラブヘッド。
【符号の説明】
【００３６】
１００    ゴルフクラブヘッド
１０２    前面部分
１０４    背面部分
１０６    第１のキャビティ
１０８    第２のキャビティ
１１０    前面フランジ
１１２    背面フランジ
４２０    アンダーカット
【図１】
0005980978.tif 000002
【図２】
0005980978.tif 000003
【図３】
0005980978.tif 000004
【図４】
0005980978.tif 000005
【図５】
0005980978.tif 000006